【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
遊技機本体に対して開閉自在に支持された前面扉を備え、
該前面扉の閉鎖時には前記遊技機本体の前面側を覆い、前記前面扉の開放時には前記遊技機本体の前面側を露出させるよう構成し、
前記遊技機本体には所定の払出条件成立によって遊技球を払い出す払出手段を設けた遊技機において、
前記払出手段を制御する制御手段と、
所定のエラーを監視するエラー監視手段と、
前記遊技機本体に設けられ、前記エラーの解消に基づき操作されるエラー解除操作手段と、
前記前面扉の閉鎖時において遊技機前面側より操作可能な動作開始操作手段と
を備え、
前記制御手段は、前記エラー監視手段によりエラーが確認された場合に、前記払出手段を停止状態とし、その停止状態において前記エラーが解消されるとともに前記エラー解除操作手段が操作された場合に、エラー解除としかつ前記払出手段を停止状態に維持した待機状態とし、その待機状態において前記動作開始操作手段が操作された場合に、前記払出手段の動作を再開させることを特徴とする遊技機。
【請求項２】
遊技機本体に対して開閉自在に支持された前面扉を備え、
該前面扉の閉鎖時には前記遊技機本体の前面側を覆い、前記前面扉の開放時には前記遊技機本体の前面側を露出させるよう構成し、
前記前面扉には遊技の際に遊技機本体側へ取り込まれる遊技球を貯留する貯留部を設け、
前記遊技機本体には所定の払出条件成立によって遊技球を払出通路に払い出す払出手段を設け、
前記遊技機本体に対して前記前面扉が閉じられている場合に、前記払出通路の出口と前記貯留部の入口とが連通されるよう構成した遊技機において、
前記払出手段を制御する制御手段と、
所定のエラーを監視するエラー監視手段と、
前記遊技機本体に設けられ、前記エラー解消に基づき操作されるエラー解除操作手段と、
前記前面扉の閉鎖時において遊技機前面側より操作可能な動作開始操作手段と
を備え、
前記制御手段は、前記エラー監視手段によりエラーが確認された場合に、前記払出手段を停止状態とし、その停止状態において前記エラーが解消されるとともに前記エラー解除操作手段が操作された場合に、エラー解除としかつ前記払出手段を停止状態に維持した待機状態とし、その待機状態において前記動作開始操作手段が操作された場合に、前記払出手段の動作を再開させることを特徴とする遊技機。
【請求項３】
前記前面扉には、遊技を進行させるべく操作される遊技操作手段を設け、
前記遊技操作手段は、前記動作開始操作手段の機能を兼ね備え、
前記遊技操作手段の操作によって前記制御手段は待機状態である前記払出手段の動作を再開させることを特徴とする請求項２に記載の遊技機。
【請求項４】
前記払出手段が待機状態の場合に前記遊技操作手段が操作されると、前記制御手段は前記払出手段の動作再開のみを実行することを特徴とする請求項３に記載の遊技機。
【請求項５】
前記遊技機本体が取り付けられる取付対象に対して該遊技機本体が開閉自在に支持され、
前記遊技機本体には前記貯留部より該遊技機本体側へ遊技球を取り込む取込手段と、取り込まれた遊技球を該遊技機本体外へ導く排出通路を設け、
前記取込手段によって前記遊技機本体に取り込まれた遊技球は、前記排出通路を通って該排出通路の出口である排出口から排出され、
前記制御手段は前記取込手段を制御し、
前記エラー解除操作手段は前記遊技機本体の背面側に配置され、
前記制御手段は、前記エラー監視手段によりエラーが確認された場合に、前記取込手段を停止状態とし、その停止状態において前記エラーが解消されるとともに前記エラー解除操作手段が操作された場合に、エラー解除としかつ前記取込手段を停止状態に維持した待機状態とし、その待機状態において前記動作開始操作手段が操作された場合に、前記取込手段の動作を再開させることを特徴とする請求項２に記載の遊技機。
【請求項６】
前記前面扉には、遊技を進行させるべく操作される遊技操作手段を設け、
前記遊技操作手段は、前記動作開始操作手段の機能を兼ね備え、
前記遊技操作手段の操作によって、前記制御手段は待機状態である前記払出手段の動作及び待機状態である前記取込手段の動作を再開させることを特徴とする請求項５に記載の遊技機。
【請求項７】
前記払出手段と前記取込手段とが待機状態の場合に前記遊技操作手段が操作されたとき、前記制御手段は動作再開のみを実行することを特徴とする請求項６に記載の遊技機。
【請求項８】
遊技機本体に対して開閉自在に支持された前面扉を備え、
該前面扉の閉鎖時には前記遊技機本体の前面側を覆い、前記前面扉の開放時には前記遊技機本体の前面側を露出させるよう構成し、
前記前面扉には遊技の際に遊技機本体側へ取り込まれる遊技球を貯留する貯留部を設け、
前記遊技機本体には所定の払出条件成立によって遊技球を払出通路に払い出す払出手段を設け、
前記遊技機本体に対して前記前面扉が閉じられている場合に、前記払出通路の出口と前記貯留部の入口とが連通されるよう構成した遊技機において、
前記払出手段を制御する制御手段と、
所定のエラーを監視するエラー監視手段と、
前記遊技機本体に設けられ、前記エラー解消に基づき操作されるエラー解除操作手段と、
前記遊技機本体に対して前記前面扉が閉じられていることを検知する前面扉検知手段と
を備え、
前記制御手段は、前記エラー監視手段によりエラーが確認された場合に、前記払出手段を停止状態とし、その停止状態において前記エラーが解消されるとともに前記エラー解除操作手段が操作された場合に、エラー解除としかつ前記払出手段を停止状態に維持した待機状態とし、その待機状態において前記前面扉検知手段によって前記遊技機本体に対して前記前面扉が閉じられていることが検知された場合に、前記払出手段の動作を再開させることを特徴とする遊技機。
【請求項９】
前記遊技機本体が取り付けられる取付対象に対して該遊技機本体が開閉自在に支持され、
前記遊技機本体には前記貯留部より該遊技機本体側へ遊技球を取り込む取込手段と、取り込まれた遊技球を該遊技機本体外へ導く排出通路を設け、
前記取込手段によって前記遊技機本体に取り込まれた遊技球は、前記排出通路を通って該排出通路の出口である排出口から排出され、
前記制御手段は前記取込手段を制御し、
前記取付対象に対して前記遊技機本体が閉じられていることを検知する遊技機本体検知手段と
を備え、
前記エラー解除操作手段は前記遊技機本体の背面側に配置され、
前記制御手段は、前記エラー監視手段によりエラーが確認された場合に、前記取込手段を停止状態とし、その停止状態において前記エラーが解消されるとともに前記エラー解除操作手段が操作された場合に、エラー解除としかつ前記取込手段を停止状態に維持した待機状態とし、その待機状態において前記遊技機本体検知手段によって前記取付対象に対して前記遊技機本体が閉じられていることが検知された場合に、前記取込手段の動作を再開させることを特徴とする請求項８に記載の遊技機。
【請求項１０】
遊技機本体に対して開閉自在に支持された前面扉を備え、
該前面扉の閉鎖時には前記遊技機本体の前面側を覆い、前記前面扉の開放時には前記遊技機本体の前面側を露出させるよう構成し、
前記遊技機本体には所定の払出条件成立によって遊技球を払い出す払出手段を設けた遊技機において、
前記払出手段を制御する制御手段と、
所定のエラーを監視するエラー監視手段と、
前記遊技機本体に設けられ、前記エラーの解消に基づき操作されるエラー解除操作手段と
を備え、
前記制御手段は、前記エラー監視手段によりエラーが確認された場合に、前記払出手段を停止状態とし、その停止状態において前記エラーが解消されるとともに前記エラー解除操作手段が操作された場合に、エラー解除としかつ前記払出手段を停止状態に維持した待機状態とし、待機状態としてから所定の時間経過後に前記払出手段の動作を再開させることを特徴とする遊技機。
【請求項１１】
遊技機本体に対して開閉自在に支持された前面扉を備え、
該前面扉の閉鎖時には前記遊技機本体の前面側を覆い、前記前面扉の開放時には前記遊技機本体の前面側を露出させるよう構成し、
前記前面扉には遊技の際に遊技機本体側へ取り込まれる遊技球を貯留する貯留部を設け、
前記遊技機本体には所定の払出条件成立によって遊技球を払出通路に払い出す払出手段を設け、
前記遊技機本体に対して前記前面扉が閉じられている場合に、前記払出通路の出口と前記貯留部の入口とが連通されるよう構成した遊技機において、
前記払出手段を制御する制御手段と、
所定のエラーを監視するエラー監視手段と、
前記遊技機本体に設けられ、前記エラー解消に基づき操作されるエラー解除操作手段と
を備え、
前記制御手段は、前記エラー監視手段によりエラーが確認された場合に、前記払出手段を停止状態とし、その停止状態において前記エラーが解消されるとともに前記エラー解除操作手段が操作された場合に、エラー解除としかつ前記払出手段を停止状態に維持した待機状態とし、待機状態としてから所定の時間経過後に前記払出手段の動作を再開させることを特徴とする遊技機。
【請求項１２】
前記遊技機本体が取り付けられる取付対象に対して該遊技機本体が開閉自在に支持され、
前記遊技機本体には前記貯留部より該遊技機本体側へ遊技球を取り込む取込手段と、取り込まれた遊技球を該遊技機本体外へ導く排出通路を設け、
前記取込手段によって前記遊技機本体に取り込まれた遊技球は、前記排出通路を通って該排出通路の出口である排出口から排出され、
前記制御手段は前記取込手段を制御し、
前記エラー解除操作手段は前記遊技機本体の背面側に配置され、
前記制御手段は、前記エラー監視手段によりエラーが確認された場合に、前記取込手段を停止状態とし、その停止状態において前記エラーが解消されるとともに前記エラー解除操作手段が操作された場合に、エラー解除としかつ前記取込手段を停止状態に維持した待機状態とし、待機状態としてから所定の時間経過後に前記取込手段の動作を再開させることを特徴とする請求項１１に記載の遊技機。